(57)【要約】【課題】集塵ケース内の塵埃を圧縮又は除塵した後、運転を再開時には、除塵されたフィルター部分は、粗塵フィルターへの付着や粗塵フィルターを抜けて細塵を捕集するフィルターへの付着もかなり多く、細塵を捕集するフィルターへの付着量が多くなり、目詰まりが早くなるなどの課題があった。【解決手段】集塵容器内に配され粗塵を捕集する第１のフィルターと、細塵を捕集する第２のフィルターと、第１のフィルター部の一部を除塵する除塵手段を備え、前記除塵手段により除塵を行う前記第１のフィルター部のメッシュサイズを、除塵を行わない前記第１のフィルター部のメッシュサイズよりも小さくした。【選択図】図１
2011083516.tif 000002
【特許請求の範囲】
【請求項１】
塵埃を捕集する集塵容器と、前記集塵容器が着脱自在に装着される集塵容器収納部と、前記集塵容器内に配され粗塵を捕集する第１のフィルターと、細塵を捕集する第２のフィルターと、前記第１のフィルター部の一部を除塵する除塵手段を備え、前記除塵手段により除塵を行う前記第１のフィルター部のメッシュサイズを、除塵を行わない前記第１のフィルター部のメッシュサイズよりも小さくした集塵ボックスを備えた電気掃除機。
【請求項２】
除塵を行う前記第１のフィルター部メッシュサイズを一部のみ小さくしたことを特徴とする請求項１記載の電気掃除機。
【請求項３】
第１のフィルター部で最も塵埃が付着しやすい部分に除塵手段を設けたことを特徴とする請求項１または２記載の電気掃除機。
【請求項４】
第１のフィルター部で最も塵埃が付着しにくい部分に除塵手段を設けたことを特徴とする請求項１または２記載の電気掃除機。
【請求項５】
第２のフィルター部で最も塵埃が付着しやすい部分の直前に第１のフィルター部の除塵部を設けたことを特徴とする請求項１または２記載の電気掃除機。
【請求項６】
第２のフィルター部で最も塵埃が付着しにくい部分の直前に第１のフィルター部の除塵部を設けたことを特徴とする請求項１または２記載の電気掃除機。
【発明の詳細な説明】
【技術分野】
【０００１】
本発明は、電気掃除機等に使用される集塵ボックスに関するもので、特に、捕集された塵埃を除塵する機構を有する集塵ボックスに関するものである。
【背景技術】
【０００２】
従来のこの種の集塵ボックスとして、塵埃を捕集する集塵容器と、前記集塵容器内に配され捕集された前記塵埃を圧縮する手段を備えているが、前記駆動手段に加わる負荷量を検知する負荷量検知手段を備え、前記除塵手段で前記塵埃を除塵しているときに、前記負荷量検知手段が所定の負荷量を検知すると、前記除塵手段を後退させるようにしたもので、集塵容器内の塵埃の多少にかかわらず常に一定の力で塵埃を圧縮できるものがある（例えば、特許文献１参照）。
【先行技術文献】
【特許文献】
【０００３】
【特許文献１】特開２００８−１５４８００号公報
【発明の概要】
【発明が解決しようとする課題】
【０００４】
しかしながら、上記特許文献１に記載された従来の集塵ボックスの構成では、集塵ケース内の塵埃を圧縮又は除塵した後、運転を再開時には、除塵されたフィルター部分は、粗塵フィルターへの付着や粗塵フィルターを抜けて細塵を捕集するフィルターへの付着もかなり多かった。その結果、細塵を捕集するフィルターへの付着量が多くなり、目詰まりが早くなるなどの問題があった。
【０００５】
本発明は、前記従来の課題を解決するもので、フィルターメッシュサイズが小さい箇所のみを除塵することにより、第２のフィルターへの付着を少なくすることができ、集塵容器のごみ捨て時まで高い風量を維持し、利用者にとって使用性が向上した集塵ボックスを備えた電気掃除機を提供することを目的とする。
【課題を解決するための手段】
【０００６】
前記従来の課題を解決するために、電動送風機と、塵埃を捕集する集塵容器と、前記電動送風機に連通すると共に前記集塵容器が着脱自在に装着される集塵容器収納部と、前記集塵容器内に配され粗塵を捕集する第１のフィルターと細塵を捕集する第２のフィルターから構成され、前記第１のフィルター部の一部を除塵する除塵手段と、前記除塵手段を駆動する駆動手段を備え、前記除塵手段により除塵を行う前記第一のフィルター部のメッシュサイズを、除塵を行わないフィルター部のメッシュサイズよりも小さくした集塵ボックスで、集塵ボックスの除塵を行った後の電気掃除機の運転を再開時には、フィルターから除塵された塵埃が、除塵されたフィルターの部分に再度付着をしようとするが、除塵しているメッシュ部分の第１のフィルター部メッシュサイズが小さいので、塵埃の再付着による第２のフィルターへの細塵の抜けが少なくなる。第１のフィルターの目詰まりは、他のメッシュの部分よりも早くなるが、除塵されるので問題はない。
【発明の効果】
【０００７】
本発明は、第１のフィルターの塵埃の除去をしながら第２のフィルターの目詰まりを遅らせることができ、ごみ捨て時まで風量を高く維持する使用勝手が良い集塵ボックスを備えたものである。
【図面の簡単な説明】
【０００８】
【図１】本発明の実施の形態１における電気掃除機の要部断面図
【図２】同、電気掃除機の要部断面図
【図３】同、電気掃除機の全体斜視図
【図４】同、電気掃除機の集塵ボックスの要部断面図
【図５】同、電気掃除機の集塵ボックスの全体斜視図
【発明を実施するための形態】
【０００９】
第１の発明は、塵埃を捕集する集塵容器と、前記電動送風機に連通すると共に前記集塵容器が着脱自在に装着される集塵容器収納部と、前記集塵容器内に配され粗塵を捕集する第１のフィルターと細塵を捕集する第２のフィルターから構成され、前記第１のフィルター部の一部を除塵する除塵手段と、前記除塵手段を駆動する駆動手段を備え、前記除塵手段により除塵を行う前記第一のフィルター部のメッシュサイズを、除塵を行わない前記第１のフィルター部のメッシュサイズよりも小さくすることで、電気掃除機の運転を停止後、集塵ボックスの第１のフィルター部の除塵を行い、再運転した場合に除塵を行った場所のメッシュサイズが小さいので第２のフィルターへの細塵の抜けが少なくなり、結果として風量を高く維持することができ、利用者の利便性を高めることができる。
【００１０】
第２の発明は、特に、第１の発明の集塵ボックスに、除塵を行う第１のフィルター部の一部のメッシュサイズを小さくしたもので、主流路となっている部分の一部のメッシュサイズを小さくすることで、第２のフィルターへの細塵の抜けを小さくし、集塵ボックス内の風量を高く保つことができる。
【００１１】
第３の発明は、第１又は第２の発明の集塵ボックスに第１のフィルター部で最も塵埃が付着しやすい部分に除塵手段を設けたもので、第１のフィルターに塵埃が付着しても、除塵により容易に取り除かれるので、使い初めよりごみ捨て時まで集塵ボックスの風量を高く維持することができる。
【００１２】
第４の発明は、第１又は第２の発明の集塵ボックスに第１のフィルター部で最も塵埃が付着しにくい部分に除塵手段を設けたもので、第１のフィルターに塵埃が付着しにくい箇所であるために、集塵ボックスの容量が一杯になるまで流気通路を確保できるので、集塵ボックス内の風量を高く維持することができる。
【００１３】
第５の発明は、第１又は第２の発明の集塵ボックスに第２のフィルター部で最も塵埃が付着しやすい部分の直前に第１のフィルター部の除塵部を設けたもので、運転停止後に除塵を行い、その除塵部のメッシュサイズが小さいので、再運転時に除塵された第１のフィルター内の塵埃が第２のフィルター部への細塵の通過が少なくなる。これにより第２のフィルターの目詰まりが起こりにくくなるため、集塵ボックス内の風量を高く保つことができる。
【００１４】
第６の発明は、第１又は第２の発明の集塵ボックスに第２のフィルター部で最も塵埃が付着しにくい部分の直前に第１のフィルター部の除塵部を設けたもので、運転停止後に除塵を行い、その除塵部のメッシュサイズが小さいので、再運転時に除塵された第１のフィルター内の塵埃が第２のフィルター部への細塵の通過が少なくなる。これにより第２のフィルターの目詰まりが起こりにくくなるため、ゴミが一杯になるまで集塵ボックス内の風量を高く保つことができる。
【００１５】
以下、本発明の実施の形態について、図面を参照しながら説明する。なお、この実施の形態によって本発明が限定されるものではない。
【００１６】
（実施の形態１）
本発明の第１の実施の形態について、図１〜図５を用いて説明する。図１に示すように、１は前方に吸気口２を有する集塵ボックス収納部３と後方に電動送風機（図示しない）を有する電動送風機室（図示しない）を具備した掃除機本体で、吸気口２部には掃除機本体１とホース（図示せず）のエアータイト用のパッキンＡ４を具備したものである。
【００１７】
集塵ボックス収納部３内には、集塵ボックス８が収納されている。集塵ボックス８は連通穴９が設けられた本体部１０と本体部の後方に、メッシュもしくは多孔室に形成された薄板１１を形成した蓋体部Ａ１２と、その下流にプリーツ加工されたフィルター１３を形成する蓋体部Ｂ１４が本体部１０に形成された溝部１５より保持されたものである。蓋体Ａ１２は本体部１０に爪部で係止しており、蓋体Ｂ１４は蓋体Ｂ１４の爪部１７に本体部１０の係止部１６が引っ掛ることで本体部１０に固定され使用時の形態となる。
【００１８】
また、本体部１０の下部にゴミ捨て時に後方部を支点として回動自在に設けた本体部蓋体Ｃ３１がある。この蓋体Ｃ３１の外周前後に形成された、タイトパッキンＡ１８により、本体部１０と蓋体Ｃ３１とがエアータイトされる構成となっている。また、本体部１０内に溜まった粗ごみ２３は、本体部１０の上方にある、押出し面１９と、押出し面１９を下方へ摺動させる押出し操作部２０は蓋体Ｃ３１と連動しており、押出し操作部２０を下方に押すことにより本体部１０下方にある蓋体Ｃ３１も下方へと開き、内部の粗ゴミ２３が本体部１０より排出される。この排出動作と同時に細塵２４も同時に本体部１０より下方へと排出される。
【００１９】
また、図２に示すように、集塵ボックス８には、押出し面１９を下方に摺動させることができるギアボックス６５を備えており、このギアボックス６５の動作は、集塵ボックス８の外部に備え付けられたつまみ部６６を回転させることにより、押出し面１９の上方に設けた押出し棒６７が下方へ移動する。
【００２０】
本体部１０には本体部１０の取っ手となるハンドル部４０を備えており、ハンドル部４０は上下に摺動することができる。集塵ボックス８と集塵ボックス収納部３とのエアータイトは前方をパッキンＡ４と本体部、後方を蓋体Ｂ１４と蓋体集塵ボックス収納部３に形成されたタイトパッキンＢ１９によりタイトされたものである。なお、タイトパッキンＡ１８と、タイトパッキンＢ１９、パッキンＡ４はタイト構成として使用される部品でありそれぞれのパッキンが当接するいずれかの部品に構成されてもタイト構成できる。
【００２１】
また、図３は集塵ボックス８が電気掃除機本体１にセットされた状態である。電気掃除機本体１は、本体を移動する為の車輪５１、本体を運ぶ為の本体取っ手部５２を備えている。
【００２２】
図４は本体部１０のＡ−Ａ断面図である。図４に示すように、２１はプリーツ状に形成されたフィルター１３の下流面側で、蓋体Ｂ１４と保持部材２６にて摺動可能に保持されたレバー体である。レバー体２１を左右に動かすことにより、フィルター１３に振動を与え、細塵２４を下方へと落とすことができる。
【００２３】
以上のように構成された電気掃除機について、以下その動作、作用を説明する。図１のように、電動送風機（図示しない）の吸引風と塵埃は、吸気口２、連通穴９を通過し本体部１０に到達する。その後蓋体Ａ１２に形成されたメッシュもしくは多孔室に形成された薄板１１により塵埃の粗ごみ２３が捕集される。メッシュもしくは多孔室に形成された薄板１１を細塵と空気は通過し、次に蓋体Ｂ１４のプリーツ加工されたフィルター１３により細塵２４が捕集され、空気のみが電動送風機室（図示しない）を経て掃除機本体１外に排出される。
【００２４】
次に図４のように、フィルター１３に蓄積された細塵２４はレバー体２１を左右に摺動させることで、レバー体２１の振動発生部２５によりフィルター１３に振動を与えフィルター１３に蓄積され細塵２４を除去するものである。掃除終了後、通常粗ごみ２３は薄板１１に貼りついたままで流路を塞いでいる。
【００２５】
次に図５に示すように、集塵ボックス８の外部に設けたつまみ部６６を手動で回転させることにより、集塵ボックス８の中の押出し棒６７が下方へ移動し、押出し面１９を下方に押出すと、押出し面１９は下流側の薄板１１と接しているので、薄板１１の上部についた粗ごみ２３を掻き落とし、新たに流路を確保する。
【００２６】
粗ごみ２３を取り除いた薄板１１はメッシュのサイズが小さいので、その後本体の運転を再開しても、新たに吸引したごみにより再度粗ごみ２３が付着するが、メッシュサイズが周囲のものより小さくしているため、フィルター１３への細塵２４の付着は少なくすることができる。第１のフィルターの除塵によりフィルター１３の目詰まりを減らすことができ、かつ吸込力を減じることがないので、利用者は快適に電気掃除機を使用することができる。
【産業上の利用可能性】
【００２７】
以上のように、本発明にかかる集塵ボックスは、フィルターに蓄積された塵埃を除去することにより集塵ボックスの使用性を向上し、特に家庭、業務用等の電気掃除機に有用である。
【符号の説明】
【００２８】
３  集塵ボックス収納部
８  集塵ボックス
１０  本体部
１１  薄板
１２  蓋体Ａ
１３  フィルター
１４  蓋体Ｂ
１９  押出し面
２１  レバー体
２３  粗ゴミ
２４  細塵
２５  振動発生部
３０  保持部
３１  蓋体Ｃ
４０  ハンドル
６６  つまみ部
【図１】
2011083516.tif 000003
【図２】
2011083516.tif 000004
【図３】
2011083516.tif 000005
【図４】
2011083516.tif 000006
【図５】
2011083516.tif 000007